(57)【要約】【課題】  偏心錘の取着及び取外しが容易な振動モータの提供。【解決手段】振動モータ１は、錘体部２２及びこの錘体部の上面２２ａに一体的に突設したボス部２４を有する偏心錘２０と、ボス部２４の軸挿通孔２４ａに挿入可能なモータ軸１２を有するモータ本体１０とを備えている。挿通孔２４ａはその孔壁の一部で当該軸挿通孔２４ａの長さ方向に沿って形設されたキー溝２４ｂを付帯しており、偏心錘２０の反モータ本体側からキー溝２４ｂに押し込み可能なキー部材３０を備えて成る。【選択図】      図２
2005261100.tif 000002
【特許請求の範囲】
【請求項１】
錘体部及びこの錘体部の上面に一体的に突設したボス部を有する偏心錘と、前記ボス部の軸挿通孔に挿入可能なモータ軸を有するモータ本体とを備えた振動モータであって、
前記挿通孔はその孔壁の一部で当該軸挿通孔の長さ方向に沿って形設されたキー溝を付帯しており、前記偏心錘の反モータ本体側から前記キー溝に押し込み可能なキー部材を備えて成ることを特徴とする振動モータ。
【請求項２】
請求項１において、前記キー溝は前記孔壁の前記錘体部側に形設されていることを特徴とする振動モータ。
【請求項３】
請求項１又は請求項２において、前記キー溝は前記反モータ本体側からモータ本体側にかけて次第に溝深さが漸減する勾配溝であることを特徴とする振動モータ。
【請求項４】
請求項１乃至請求項３のいずれか一項において、前記キー溝における前記反モータ本体側の端部の溝底には、欠空部が形設されていることを特徴とする振動モータ。
【請求項５】
請求項１乃至請求項４のいずれか一項において、前記キー部材は前記反モータ本体側の端部に掴持部を有していることを特徴とする振動モータ。
【発明の詳細な説明】
【技術分野】
【０００１】
本発明は、モータ軸に偏心錘を取着した振動モータに関し、特に、偏心錘の取着及び取外しが容易な振動モータに関する。
【背景技術】
【０００２】
従来一般に、振動モータにおいて、タングステン粉末等の成形焼結体としての偏心錘をモータ軸に取着する方法は、偏心錘においてスラスト方向に成形された軸受け溝にモータ軸を収めてから軸受け溝の両側に突出した挟着用突片を工具等で溝側に塑性変形させてモータ軸を加締固定することが一般的である。
【発明の開示】
【発明が解決しようとする課題】
【０００３】
しかしながら、上記加締固定法では偏心錘に一体的に形成されている挟着用突片を溝側へ塑性変形するものであることから、使用済み振動モータにおける偏心錘の取外しには、挟着用突片の戻し塑性変形を必要とし、加工硬化等により挟着用突片の割れや損傷等が生じ、回収した偏心錘の再利用が困難である。
【０００４】
そこで、上記問題点に鑑み、本発明の課題は、偏心錘の取着及び取外しが容易で、偏心錘の再利用が可能な振動モータを提供することにある。
【課題を解決するための手段】
【０００５】
上記課題を解決するため、本発明は、錘体部及びこの錘体部の上面に一体的に突設したボス部を有する偏心錘と、ボス部の軸挿通孔に挿入可能なモータ軸を有するモータ本体とを備えた振動モータであって、挿通孔はその孔壁の一部で当該軸挿通孔の長さ方向に沿って形設されたキー溝を付帯しており、偏心錘の反モータ本体側からキー溝に押し込み可能なキー部材を備えて成ることを特徴とする。
【０００６】
振動モータの組立時においては、ボス部の軸挿通孔にモータ軸を挿入した後、キー部材を偏心錘の反モータ本体側からキー溝に押し込むことにより、軸挿通孔内のモータ軸のキー溝側周面とキー部材との楔係合によって、偏心錘がモータ軸に対して抜け止めされると同時に回り止めされる。
【０００７】
偏心錘の回収時においては、工具等を用いてキー部材をキー溝から引き抜くことによって、モータ軸をボス部の軸挿通孔から抜き出すことができ、偏心錘の再利用は勿論のこと、モータ本体の再利用も可能となる。
【０００８】
キー溝が軸挿通孔の孔壁の錘体部側に形設されている場合、キー溝が錘体部側に若干陥入するだけで、ボス部の肉厚をキー溝の溝深さだけ余分に厚肉化せずに済む。
【０００９】
キー部材を楔形形状（厚み勾配）とし、キー溝深さをその溝長さ方向に一様としても構わないが、軸挿通孔を持つ偏心錘の成形では金型をスラスト方向へ抜型する必要があることから、金型の抜き勾配を利用して、キー溝としては反モータ本体側からモータ本体側にかけて次第に溝深さが漸減する勾配溝とすることが望ましい。キー部材を一様厚みとすることができ、製造コストの低廉化に資する。
【００１０】
キー溝における反モータ本体側の端部の溝底に欠空部が形設されている場合、この欠空部を利用してキー部材の端部を掴み持つ操作が容易となるので、キー部材の引き抜き作業の容易化を図れる。
【００１１】
また、キー部材が反モータ本体側の端部に掴持部を有している場合、この掴持部を利用することによりキー部材の引き抜き作業の容易化を図れる。
【発明の効果】
【００１２】
本発明は、偏心錘の取着及び取外しが容易で、偏心錘の再利用が可能な振動モータを提供できる。また、モータ本体の再利用も可能である。
【発明を実施するための最良の形態】
【００１３】
次に、本発明の実施形態を添付図面に基づいて説明する。
【実施例１】
【００１４】
図１は本発明の実施例１に係る振動モータを示す組立斜視図、図２は同振動モータにおける偏心錘を縦断した状態を示す断面図、図３は図２中のＡ部を拡大して示す部分拡大図である。
【００１５】
本例の振動モータ１は、モータ本体１０と、モータ本体１０から長く突出したモータ軸１２に取着する偏心錘２０と、キー部材３０とから成る。この偏心錘２０は、断面扇状（半円状）の錘体部２２と、その上面２２ａに突起してスラスト方向に延びるボス部２４とから成る。
【００１６】
ボス部２４はモータ軸１２が挿入可能な軸挿通孔２４ａを有する。この軸挿通孔２４ａには、その孔壁の一部で当該軸挿通孔２４ａの長さ方向に沿って形設されたキー溝２４ｂが付帯している。キー溝２４ｂは孔壁の錘体部２２側に形設されている。キー溝２４ｂは反モータ本体側からモータ本体１０側にかけて次第に溝深さが漸減する勾配溝であって、この勾配は金型の抜き勾配で形成される。キー溝２４ｂにおける反モータ本体側の端部の溝底には、開口側が開放した欠空部２４ｃが形設されている。そして、本例のキー部材３０は一様厚みの真鍮製短冊状プレートである。
【００１７】
振動モータ１の組立時においては、ボス部２４の軸挿通孔２４ａにモータ軸１２を挿入した後、キー部材３０を偏心錘２０の反モータ本体側からキー溝２４ｂに押し込むことにより、軸挿通孔２４ａ内におけるモータ本体１０側のモータ軸１２のキー溝側周面とキー部材３０との楔係合によって、偏心錘２０がモータ軸１２に対して抜け止めされると同時に回り止めされる。キー部材３０の押し込みだけで偏心錘２０を容易に取着できる。
【００１８】
偏心錘２０の回収時においては、欠空部２４ｃを利用して工具等でキー部材３０の端部を掴んで引き抜くことによって、モータ軸１２をボス部２４の軸挿通孔２４ａから抜き出すことができ、偏心錘２０の再利用は勿論のこと、モータ本体１０の再利用も可能となる。
【００１９】
キー溝２４ｂが軸挿通孔２４ａの孔壁の錘体部２２側に形設されているので、キー溝２４ｂが錘体部２２側に若干陥入するだけで、ボス部２４の肉厚をキー溝２４ｂの溝深さだけ余分に厚肉化せずに済む。
【００２０】
また、キー溝２４ｂが金型の抜き勾配を利用して勾配溝となっているので、キー部材３０を一様厚みとすることができ、製造コストの低廉化に資する。
【実施例２】
【００２１】
図４は本発明の実施例２に係る振動モータを示す組立斜視図、図５は同振動モータを示す斜視図、図６は同振動モータにおける偏心錘を縦断した状態を示す断面図である。なお、図４〜図６において図１〜図３に示す部分と同一部分には同一参照符号を付し、その説明を割愛する。
【００２２】
本例の振動モータ２の実施例１と異なる点は、ボス部２４′が反モータ本体側で錘体部２２の端面までは達しておらず、キー溝露出部２６として欠如し、また、キー部材３０′はその端部において掴持部としての折曲部３２を有しているところにある。
【００２３】
本例においても実施例１と同様の作用効果を奏する。キー部材３０′の端部に折曲部３２が設けられているため、実施例１に比し、キー部材３０′の引き抜きが容易となる。また、キー溝露出部２６の領域に折曲部３２を位置させることができ、折曲部３２が錘体部２２の端面から突出せずに済む。
【００２４】
なお、上記実施例のボス部２４，２４′は連続的ボス部となっているが、少なくとも２箇所の離散的ボス部として構成しても良い。
【図面の簡単な説明】
【００２５】
【図１】本発明の実施例１に係る振動モータを示す組立斜視図である。
【図２】同振動モータにおける偏心錘を縦断した状態を示す断面図である。
【図３】図２中のＡ部を拡大して示す部分拡大図である。
【図４】本発明の実施例２に係る振動モータを示す組立斜視図である。
【図５】同振動モータを示す斜視図である。
【図６】同振動モータにおける偏心錘を縦断した状態を示す断面図である。
【符号の説明】
【００２６】
２…振動モータ
１０…モータ本体
１２…モータ軸
２０…偏心錘
２２…錘体部
２２ａ…上面
２４，２４′…ボス部
２４ａ…軸挿通孔
２４ｂ…キー溝
２４ｃ…欠空部
２６…キー溝露出部
３０，３０′…キー部材
３２…折曲部
【図１】
2005261100.tif 000003
【図２】
2005261100.tif 000004
【図３】
2005261100.tif 000005
【図４】
2005261100.tif 000006
【図５】
2005261100.tif 000007
【図６】
2005261100.tif 000008